(57)【要約】 【課題】  解決しようとする問題点は、容器Ａの大きさによって栽培される植物Ｆの数が決まってしまい、多数の植物を栽培するには、大きな容器を必要とし、又、超音波振動子Ｄも多数必要とするという問題があった。【解決手段】  第１の長尺の栽培管１は送風ダクト５を介して超音波霧化装置６に連結され、第１の栽培管１の他端は連結ダクト７を介して第２の栽培管８に連結され、第２の栽培管８は戻りダクト９を介して、肥料液タンク１０に連結され、超音波霧化装置６で発生した霧化粒子１２ｂは送風機１５からの送風とともに送風ダクト５から第１の栽培管１に送出され、連結ダクト７を介して第２の栽培管８に送風され、戻りダクト９を介して肥料液タンク１０に戻る。【選択図】図１
2012034581.tif 000002
【特許請求の範囲】
【請求項１】
水平に保持され、かつ多数の植物保持穴を設けた第１の長尺の栽培管と、前記植物保持穴にそれぞれ装着される多数の植物保持部材と、前記栽培管の一端に送風ダクトを介して接続される霧化粒子発生槽を設けた超音波霧化装置と、前記霧化粒子発生槽に循環空気を送風するファンと、前記霧化粒子発生槽に肥料液を送る肥料液タンクとからなり、該肥料液タンクに接続された循環ダクトを前記第１の長尺の栽培管の他端に接続することを特徴とする超音波霧化による栽培装置。
【請求項２】
前記循環ダクトに第２の長尺の栽培管を接続し、該第２の長尺の栽培管に他の循環ダクトを介して前記肥料液タンクに接続することを特徴とする請求項１記載の超音波霧化装置。
【請求項３】
前記第１の長尺の栽培管に溜まった肥料液を回収する回収ダクトを接続し、該回収ダクトを前記肥料液タンクに接続することを特徴とする請求項１記載の超音波霧化装置。
【請求項４】
前記第２の長尺の栽培管に溜まった肥料液を回収する回収ダクトを接続し、該回収ダクトを前記肥料液タンクに接続することを特徴とする請求項１記載の超音波霧化装置。
【発明の詳細な説明】
【技術分野】
【０００１】
本発明は、超音波によって肥料液（培養液）を霧化して栽培管の中を循環させ、栽培植物の根毛から肥料液を吸収させるようにした超音波霧化による栽培装置に関するものである。
【背景技術】
【０００２】
従来の超音波霧化を使用した栽培装置としては、図５に示すように、霧化する液体Ｂを入れた容器Ａの上部に植物保持体Ｃを装着し、底部に超音波振動子Ｄを装着し、この超音波振動子Ｄに発振器Ｅから高周波電圧を印加することによって、液体Ｂを霧化し、霧化した微小水滴が充満することによって植物保持体Ｃに保持されている植物Ｆの根毛Ｆ１から養液を吸収させるようにしたものが提案されている。
【０００３】
しかしながら、従来の超音波霧化による栽培装置で、容器Ａの大きさによって栽培される植物Ｆの数が決まってしまい、多数の植物を栽培するには、大きな容器を必要とし、又、超音波振動子Ｄも多数必要とするという問題があった。
【先行技術文献】
【特許文献】
【０００４】
【特許文献１】特開平６−１６９６５５号公報
【発明の開示】
【発明が解決しようとする課題】
【０００５】
解決しようとする問題点は、容器Ａの大きさによって栽培される植物Ｆの数が決まってしまい、多数の植物を栽培するには、大きな容器を必要とし、又、超音波振動子Ｄも多数必要とするという問題があった。
【課題を解決するための手段】
【０００６】
本発明は、水平に保持され、かつ多数の植物保持穴を設けた第１の長尺の栽培管と、前記植物保持穴にそれぞれ装着される多数の植物保持部材と、前記栽培管の一端に送風ダクトを介して接続される霧化粒子発生槽を設けた超音波霧化装置と、前記霧化粒子発生槽に循環空気を送風するファンと、前記霧化粒子発生槽に肥料液を送る肥料液タンクとからなり、該肥料液タンクに接続された循環ダクトを前記第１の長尺の栽培管の他端に接続するものであり、又、前記循環ダクトに第２の長尺の栽培管を接続し、該第２の長尺の栽培管に他の循環ダクトを介して前記肥料液タンクに接続し、さらに、前記第１の長尺の栽培管に溜まった肥料液を回収する回収ダクトを接続し、該回収ダクトを前記肥料液タンクに接続するものであり、又、前記第２の長尺の栽培管に溜まった肥料液を回収する回収ダクトを接続し、該回収ダクトを前記肥料液タンクに接続する。
【発明の効果】
【０００７】
本発明の超音波霧化を使用した栽培装置では、第１の長尺の栽培管に多数の植物保持穴を設け、これらの保持穴にそれぞれ植物保持部材を装着し、これらの植物保持部材にそれぞれ植物を保持し、長尺の栽培管に超音波霧化装置を接続し、肥料液タンクからの肥料液を霧化粒子発生槽で霧化して、送風ダクトから長尺の栽培管に送風することにより、栽培管に保持された多数の植物を栽培することができるという利点がある。
【図面の簡単な説明】
【０００８】
【図１】図１は本発明の実施例の超音波霧化による栽培装置の構成図である。
【図２】図２は図１の栽培管の一部の拡大斜視図である。
【図３】図３は図１の超音波霧化装置の断面図である。
【図４】図４は図１の栽培管の拡大断面図である。
【図５】図５は従来の養液栽培装置の断面図である。
【発明を実施するための形態】
【０００９】
本発明では、第１の長尺の栽培管は水平に保持され、かつ多数の植物保持穴が設けられ、これらの植物保持穴にそれぞれ多数の植物保持部材が装着され、栽培管の一端に送風ダクトを介して霧化粒子発生槽を設けた超音波霧化装置が接続され、霧化粒子発生槽にファンが循環空気を送風するように装着され、肥料液タンクから霧化粒子発生槽に肥料液を送り、肥料液タンクに接続された循環ダクトを前記第１の長尺の栽培管の他端に接続するものである。
【実施例】
【００１０】
図１は本発明の実施例の超音波霧化による栽培装置の構成図で、第１の長尺の栽培管１に、図２に示すように、多数の植物保持穴２が形成され、これらの植物保持穴２に植物保持部材３が装着され、植物保持部材３にそれぞれ植物４が保持され、又、第１の栽培管１の一端は送風ダクト５を介して超音波霧化装置６に連結され、第１の栽培管１の他端は連結ダクト７を介して第２の栽培管８に連結され、第２の栽培管８は戻りダクト９を介して、肥料液タンク１０に連結され、図３に示すように、超音波霧化装置６は霧化粒子発生槽１１に肥料液１２が入れられ、霧化粒子発生槽１１の底部に超音波振動子１３が装着され、超音波振動子１３の下部に装着された発振器１４から発振出力が超音波振動子１３に印加されることにより、超音波振動子１３で発生した超音波により、肥料液１２から水柱１２ａが噴出し、この水柱１２ａから霧化粒子１２ｂが発生され、この発生した霧化粒子１２ｂは送風機１５からの送風とともに送風ダクト５から第１の栽培管１に送出され、連結ダクト７を介して第２の栽培管８に送風され、戻りダクト９を介して肥料液タンク１０に戻る。
【００１１】
さらに、第１の栽培管１は、図４に示すように、上面１ａが平らで、断面が５角形の形状からなり、底部１ｂに霧化粒子１２ｂが栽培管１の内壁に衝突して液化した肥料液１２が栽培管１の底部１ｂを流れ、第１の栽培管１の底部１ｂに接続した回収ダクト１６を介して肥料液タンク１０に送られ、さらに、第２の栽培管８も第１の栽培管１と同様に構成され、第２の栽培管８の底部に接続された回収ダクト１７を介して肥料液タンク１０で回収される。
【００１２】
このように構成された本実施例の超音波霧化による栽培装置では、発振器１４から発振出力が超音波振動子１３に入力されると、超音波振動子１３で発生した超音波によって肥料液１２が霧化され、霧化された肥料液１２は第１、第２の栽培管１，８の植物保持穴２に装着された植物保持部材３の植物４の根毛４ａで吸収され、肥料液１２の吸収されない霧化粒子１２ｂは肥料液タンク１０で回収され、再び送風機１５で送風ダクト５に送風され、第１、第２の栽培管１，８を循環し、栽培管１，８の中で内壁に衝突して液体化された肥料液１２は第１、第２の栽培管１，８に接続された回収ダクト１６、１７を介して肥料液タンク１０で回収される。
【００１３】
本発明は、このように第１，第２の長尺の栽培管１，８に霧化した肥料液１２を循環させることにより、第１，第２の長尺の栽培管１，８にそれぞれ装着された植物保持穴２の植物保持部材３で保持された多数の植物４に肥料液１２を途切れること無く送ることができるので、肥料液１２を無駄にすることなく、大量の植物を育成することができる。
【産業上の利用可能性】
【００１４】
なお、上記実施例では、第１，第２の栽培管１，８を接続したが、第１の栽培管１に送風ダクト５戻りダクト９を設けても良いし、超音波霧化装置６を多数設けて、第１，第２の栽培管１，８を多数設けても良いし、又、上記実施例では、第１，第２の栽培管１，８の断面形状を５角形に構成したが、断面が円形でも良い。
【符号の説明】
【００１５】
１            第１の栽培管
２            植物保持穴
３            植物保持部材
４            植物
５            送風ダクト
６            超音波霧化装置
７            連結ダクト
８            第２の栽培管
９            戻りダクト
１０          肥料液タンク
１１          霧化粒子発生槽
１２          肥料液
１３          超音波振動子
１４          発振器
１５          送風機
１６、１７    回収ダクト
【図１】
2012034581.tif 000003
【図２】
2012034581.tif 000004
【図３】
2012034581.tif 000005
【図４】
2012034581.tif 000006
【図５】
2012034581.tif 000007